(57)【要約】【課題】光ヘッドの調整後に不要となる部材を用いることなく、アクチュエータのスライドベースに対する角度を調整することで、構成部材を減らしても、光ディスクへのレーザ光の照射角度を正確に調整することができる光ヘッド調整装置及びこの光ヘッド調整装置を用いた光ヘッドの調整方法を提供する。【解決手段】光ヘッドＡスライドベース１を載置するための載置台３と、アクチュエータ２の付勢部２２６を押える押圧部４とを有している。押圧部４は片持ち梁状のアーム部４１と、アーム部４１に対して直交するように突出する軸部材４２と、軸部材４２の周囲を囲むように配置されるコイルばね４３とを有する光ヘッド調整装置Ｃｍ。【選択図】図５
2007141359.tif 000002
【特許請求の範囲】
【請求項１】
、
レーザ光を出射するレーザ光源と、前記レーザ光を反射するミラーと、前記レーザ光を平行光にするコリメータレンズと、前記光ディスクで反射した光を分光するビームスプリッタと、光を受光し電気信号に変換する受光素子とを保持し、一つの球面を形成する３個の球座を備えるスライドベースと、
前記スライドベースに取り付けられ、前記レーザ光を前記光ディスクに照射するための対物レンズと、前記対物レンズを保持するレンズホルダと、矩形状の底部と、前記底部と一体に形成され、該底部の四辺より上部に向けて立ち上がる立ち上がり部と、前記底部の略中央より突出し前記レンズホルダが回動可能且つ摺動可能に外嵌する円柱状のシャフトと、前記底部の下面より突出し、前記球座と当接する先端が球形状の３個の凸部と、前記底部と一体で形成され、該底部の所定の角部より該底部と同一平面上になるように突出し、先端部に貫通孔を有する付勢部と、前記付勢部と前記凸部を挟んで配置される２つの立ち上がり部に形成される雌ねじ孔を備える角度調整部とが形成されるアクチュエータベースと、前記雌ねじ孔と螺合し前記アクチュエータベースの角度を調整する調整用ねじとを具備するアクチュエータとを有する光ヘッドのアクチュエータの角度を調整するための光ヘッド調整装置であって、
前記光ヘッド調整装置は前記スライドベースを載置するための載置台と、前記光スライドベースに対するアクチュエータの角度を調整するときに前記付勢部を押圧する押圧部とを有し、
前記押圧部は片持ち梁状に形成されるアーム部と、前記アーム部の先端に形成され前記付勢部の貫通孔と係合する位置決め部材と、前記アーム部の先端に、前記位置決め部材を囲むように配置されるコイルばねとを備えたことを特徴とする光ヘッド調整装置。
【請求項２】
、
一つの球面を形成する３個の球座を備えるスライドベースと、
前記スライドベースに取り付けられ、矩形状の底部と、前記底部の下面より突出し、前記球座と当接する先端が球形状の３個の凸部と、前記底部と一体で形成され、該底部の所定の角部より該底部と同一平面上になるように突出し、先端部に貫通孔を有する付勢部と、前記付勢部と前記凸部を挟んで対角の角部の近傍に配置される雌ねじ孔を備える複数の角度調整部とが形成されるアクチュエータベースと、前記雌ねじ孔と螺合し前記アクチュエータベ−スの角度を調整する調整用ねじとを具備するアクチュエータとを有する光ヘッドのアクチュエータの角度を調整するための光ヘッド調整装置であって、
前記光ヘッド調整装置は前記スライドベースを載置するための載置台と、前記光スライドベースに対するアクチュエータの角度を調整するときに前記付勢部を押圧する押圧部とを有し、
前記押圧部はアーム部と、前記アーム部に備えられ、前記付勢部を正確に位置決めする位置決め部材と、前記アーム部に備えられ、前記付勢部材を弾性押圧する弾性部材とを有することを特徴とする光ヘッド調整装置。
【請求項３】
前記アーム部が弾性変形可能に形成されており、前記アーム部と前記弾性部材とが一体で形成されていることを特徴とする請求項２に記載の光ヘッド調整装置。
【請求項４】
前記位置決め部材が弾性変形可能に形成されており、前記位置決め部材と前記弾性部材が一体で形成されていることを特徴とする請求項２又は請求項３に記載の光ヘッド調整装置。
【請求項５】
一つの球面を形成する３個の球座を備えるスライドベースと、
前記スライドベースに取り付けられ、底部の下面より突出し、前記球座と当接する先端が球形状の３個の凸部と、前記底部と一体で形成され、該底部の所定の角部より該底部と同一平面上になるように突出し、先端部に貫通孔を有する付勢部と、前記付勢部と前記凸部を挟んで対角の角部の近傍に配置される雌ねじ孔を備える複数の角度調整部とが形成されるアクチュエータベースと、前記雌ねじ孔と螺合し前記アクチュエータベ−スの角度を調整する調整用ねじとを具備するアクチュエータとを有する光ヘッドを、前記スライドベースを載置するための載置台と、アーム部と、前記アーム部に備えられ、前記付勢部を正確に位置決めする位置決め部材と、前記アーム部に備えられ、前記付勢部材を弾性押圧する弾性部材とを有する押圧部とを有する光ヘッド調整装置を用いる光ヘッドの調整方法であり、
前記スライドベースを前記載置台に載置するスライドベース載置工程と、
前記アクチュエータを前記スライドベース上に配置するスライドベース配置工程と、
前記スライドベースの底面より前記調整ねじを貫通し、前記アクチュエータの雌ねじ孔と螺合して該アクチュエータを該スライドベースに取り付ける仮留め工程と、
前記押圧部の前記アーム部を動かし、前記位置決め部材を前記付勢部の貫通孔に係合させる係合工程と、
前記押圧部を前記載置台に近づく方向に移動し、前記付勢部を押圧する押圧工程と、
前記調整ねじを回動させ、前記アクチュエータの前記スライドベースに対する傾きを調整する光ヘッド調整工程と、
前記光ヘッドよりレーザ光を照射し、所定の照射角度で光ディスクに照射されるか検査する検査工程と、
前記検査工程で合格した光ヘッドのスライドベースとアクチュエータを接着する接着工程と、
前記接着工程にてスライドベースとアクチュエータを接着した後、前記押圧部を前記付勢部より離脱させ、前記光ヘッドを前記光ヘッド調整装置より搬出する搬出工程とを有することを特徴とする光ヘッドの調整方法。
【請求項６】
一つの球面を形成する３個の球座を備えるスライドベースと、
前記スライドベースに取り付けられ、底部の下面より突出し、前記球座と当接する先端が球形状の３個の凸部と、前記底部と一体で形成され、該底部の所定の角部より該底部と同一平面上になるように突出し、先端部に貫通孔を有する付勢部と、前記付勢部と前記凸部を挟んで対角の角部の近傍に配置される雌ねじ孔を備える複数の角度調整部とが形成されるアクチュエータベースと、前記雌ねじ孔と螺合し前記アクチュエータベ−スの角度を調整する調整用ねじとを具備するアクチュエータとを有する光ヘッドを、前記スライドベースを載置するための載置台と、アーム部と、前記アーム部に備えられ、前記付勢部を正確に位置決めする位置決め部材と、前記アーム部に備えられ、前記付勢部材を弾性押圧する弾性部材とを有する押圧部とを有する光ヘッド調整装置を用いる光ヘッドの調整方法であり、
前記スライドベースを前記載置台に載置するスライドベース載置工程と、
前記押圧部の前記アーム部を動かし、前記位置決め部材を前記付勢部の貫通孔に係合させる係合工程と、
前記押圧部を前記載置台に近づく方向に移動し、前記付勢部を押圧する押圧工程と、
前記調整ねじを回動させ、前記アクチュエータの前記スライドベースに対する傾きを調整する光ヘッド調整工程と、
前記光ヘッドよりレーザ光を照射し、所定の照射角度で光ディスクに照射されるか検査する検査工程と、
前記検査工程で合格した光ヘッドのスライドベースとアクチュエータを接着する接着工程と、
前記接着工程にてスライドベースとアクチュエータを接着した後、前記押圧部を前記付勢部より離脱させ、前記光ヘッドを前記光ヘッド調整装置より搬出する搬出工程とを有することを特徴とする光ヘッドの調整方法。
【請求項７】
前記スライドベース載置工程は、予め前記アクチュエータが仮留めされた前記スライドベースを前記載置台に載置するものであることを特徴とする請求項６に記載の光ヘッドの調整方法。
【発明の詳細な説明】
【技術分野】
【０００１】
本発明は、光ディスクへ照射されるレーザ光の照射角度が所定の範囲内に入るように、スライドベースに対するアクチュエータの角度を調整するための光ヘッド調整装置に関し、この光ヘッド調整装置を用いた光ヘッドの調整方法に関するものである。
【背景技術】
【０００２】
近年、映像、音声又は情報の記録媒体として光を照射することで記録及び（又は）読出しすることができる光ディスクを用いるものが多く用いられている。前記光ディスクとして、ＣＤ（Compact Disc）、ＤＶＤ（Digital Versatile Disc）等が広く用いられている。これら光ディスクを記録媒体として該光ディスクにデータの記録及び（又は）読出しを行う光ディスク装置は、光ディスクの記録面に対しレーザ光を照射し、反射してきた光を検出する光ヘッドを備えている。
【０００３】
図１に光ヘッドの配置図を示す。図１に示すようにレーザ光源Ｌｄと、ミラーＭｒと、コリメータレンズＬｃと、対物レンズＬｂと、ビームスプリッタＢｓと、受光素子Ｐｄとを有している。レーザ光源Ｌｄより照射されたレーザ光は一部がビームスプリッタＢｓを透過し、ミラーＭｒで反射されてコリメータレンズＬｃに入射する。コリメータレンズＬｃに入射したレーザ光は平行光として出射され対物レンズＬｂに入射する。対物レンズＬｂに入射したレーザ光は光ディスクＤｓの記録面に照射される。
【０００４】
このときレーザ光は光ディスクＤｓの記録層に焦点をあわせて、且つ、光軸と光ディスクＤｓの記録層とが垂直になるようにレーザ光を照射する。ビームスプリッタＢｓは入射されたレーザ光の半分を透過し半分を反射するプリズムであり、光ディスクＤｓで反射した光を受光素子Ｐｄに導くものである。受光素子Ｐｄは光を電流に変換するものであり、光の強弱によってデータを読み取るものである。
【０００５】
図１０は従来の光ヘッドの平面図であり、図１１は図１０に示すアクチュエータの断面図である。図１０に示す光ヘッドＢはコリメータレンズＬｃを支持するスライドベース９１と、対物レンズＬｂを駆動するためのアクチュエータ９２とを備えている。スライドベース９１の上面には大きな同一球面を形成する球座９１１と、スライドベース９１の側面には光ヘッドＢの動作方向をディスクトラック方向（ディスク半径方向）に規制するために形成された軸９１２と、軸９１２と摺動可能に係合する摺動孔９１３と、摺動孔９１３に隣接して形成されるラックギヤ９１４と、ラックギヤ９１４と歯合するピニオンギヤ９１５とを備えている。
【０００６】
アクチュエータ９２は対物レンズＬｂと、対物レンズＬｂを保持するレンズホルダ９３と、レンズホルダ９３を支持するアクチュエータベース９４（以下、アクトベース９４と示す）とを有している。
【０００７】
レンズホルダ９３は、対物レンズＬｂを保持するレンズ保持部９３１と、ケース９４に設けられた後述のシャフト９４３と摺動及び回動可能に外嵌する軸孔９３２と、レンズホルダ９３をシャフト９４３中心に揺動させるためのトラッキングコイル９３３と、レンズホルダ９３をシャフト９４３に沿って摺動させるためのフォーカシングコイル９３４と、アクトベース９４に設けられた後述の永久磁石より発生する磁界にて力を受ける磁性板９３５とを有している。
【０００８】
アクトベース９４は平面視矩形状の底面９４１と、底面９４１の４辺から立ち上がる立ち上がり壁９４２と、底面９４１からケース９４内部に向かって突出するシャフト９４３と、シャフト９４３を挟んで立ち上がり壁９４２に正対して配置される永久磁石９４４と、底面９４１の裏側にスライドベース９１の球座９１１と接触し、先端が球面に形成されている凸部９４５とを有している。アクチュエータ９２はアクトベース９４の凸部９４５をスライドベース９１の球座９１１に摺動可能に載置される。シャフト９４３はレンズホルダ９３の軸孔９３２を回動可能及び摺動可能に嵌合するようにアクトベース９４内部に配置されている。
【０００９】
シャフト９４３は磁性体で形成されており、永久磁石９４４とシャフト９４３の間に磁界が発生している。レンズホルダ９３の磁性板９３５は永久磁石９４４とシャフト９４３の間に発生する磁界内に配置され、磁性板９３５には磁気力が付与する。レンズホルダ９３は磁性板９３５に付与する磁気力によってアクトベース９４に接触しないように浮遊支持される。
【００１０】
永久磁石９４４とシャフト９４３の間に発生する磁界を横切るようにトラッキングコイル９３３及びフォーカシングコイル９３４が配置されている。トラッキングコイル９３３に電流を流すと、トラッキングコイル９３３にローレンツ力が発生し、レンズホルダ９３はシャフト９４３を中心に揺動される。また、フォーカシングコイル９３４に電流を流すと、フォーカシングコイル９３４にローレンツ力が発生し、レンズホルダ９３はシャフト９４３に沿って摺動される。
【００１１】
図１０、図１１に示すように、アクトベース９４は、それには限定されないが、ここでは３箇所をねじ９５で止めることで、スライドベース９１に固定されている。アクトベース９４を固定するねじ９５は、平面視矩形状のアクトベース９４の対角を押えるように配置されるものであり、一方の角部近傍には弾性力付勢ねじ９５０が、他方の角部には角部を挟むように姿勢調整用ねじ９５１がそれぞれ備えられている。
【００１２】
弾性力付勢ねじ９５０にはばね９６が取り付けられている。アクトベース９４はばね９６の弾性力にて、スライドベース９１に向けて付勢されている。弾性力付勢ねじ９５０に取り付けられたばね９６により、アクトベース９４が弾性力を受け、球座９１１上を凸部９４５に摺動回転できるように姿勢調整用ねじ９５１を適切に締めるあるいは緩めることで、凸部９４５の曲面が球座９１１の曲面と接触しつつ移動し、アクチュエータ９２はスライドベース９１に対して滑らかに傾きを変える。アクチュエータ９２のスライドベース９１に対する角度を調整することで、対物レンズＬｂから照射されるレーザ光の光軸の傾きを調整することができる（特開平８−１６１７５６号公報等参照）。
【００１３】
【特許文献１】特開平８−１６１７５６号公報
【発明の開示】
【発明が解決しようとする課題】
【００１４】
しかしながら、従来の光ヘッドＢの場合、弾性力付勢ねじ９５０及びばね９６はアクチュエータ９２の姿勢調整時に弾性力を付与し、姿勢調整用ねじ９５１で姿勢を調整するものであり、アクチュエータ９２をアクトベース９１に接着固定した後は、弾性力付勢ねじ９５０及びばね９６はアクチュエータ９２に対して作用しないが、取り付けられたまま接着される。
【００１５】
また、アクチュエータ９２の姿勢を調整するためには、弾性力付勢ねじ９５０をねじ止めしなくてはならず、弾性力付勢ねじ９５０と弾性力付勢ねじ９５０を取り付けるための雌ねじ孔が必要であり、それだけ、部品点数が必要であるとともに、取り付けに手間がかかる。このことより、光ヘッドＢを製造するために、組み立て手間と時間がかかり組み立てコストがかかるとともに部品のコストがかかり、トータルした製造コストも高くなる。
【００１６】
弾性力付勢ねじ９５０にてばね９６を押えてアクトベース９４を付勢する場合、ばね９６による弾性力は弾性力付勢ねじ９５０の締付量によって変化する。すなわち、弾性力付勢ねじ９５０の締付量によって、姿勢調整用ねじ９５１の調整量が変化すると、調整が煩雑になりやすく、調整に手間と時間がかかり、光ヘッドＢの製造に時間とコストが多く必要になる。
【００１７】
そこで本発明は、光ヘッドの調整後に不要となる部材を用いることなく、アクチュエータのスライドベースに対する角度を調整することで、構成部材を減らしても、光ディスクへのレーザ光の照射角度を正確に調整することができる光ヘッド調整装置及びこの光ヘッド調整装置を用いた光ヘッドの調整方法を提供することを目的とする。
【００１８】
また本発明は、複雑又は煩雑な作業を行うことなく、アクチュエータのスライドベースに対する角度を調整することで、光ディスクへのレーザ光の照射角度を正確に調整することができる光ヘッド調整装置及びこの光ヘッド調整装置を用いた光ヘッドの調整方法を提供することを目的とする。
【課題を解決するための手段】
【００１９】
上記目的を達成するために本発明は、レーザ光を出射するレーザ光源と、前記レーザ光を反射するミラーと、前記レーザ光を平行光にするコリメータレンズと、前記光ディスクで反射した光を分光するビームスプリッタと、光を受光し電気信号に変換する受光素子とを保持し、一つの球面を形成する３個の球座を備えるスライドベースと、前記スライドベースに取り付けられ、前記レーザ光を前記光ディスクに照射するための対物レンズと、前記対物レンズを保持するレンズホルダと、矩形状の底部と、前記底部と一体に形成され、該底部の四辺より上部に向けて立ち上がる立ち上がり部と、前記底部の略中央より突出し前記レンズホルダが回動可能且つ摺動可能に外嵌する円柱状のシャフトと、前記底部の下面より突出し、前記球座と当接する先端が球形状の３個の凸部と、前記底部と一体で形成され、該底部の所定の角部より該底部と同一平面上になるように突出し、先端部に貫通孔を有する付勢部と、前記付勢部と前記凸部を挟んで配置される２つの立ち上がり部に形成される雌ねじ孔を備える角度調整部とが形成されるアクチュエータベースと、前記雌ねじ孔と螺合し前記アクチュエータベースの角度を調整する調整用ねじとを具備するアクチュエータとを有する光ヘッドのアクチュエータの角度を調整するための光ヘッド調整装置であって、前記光ヘッド調整装置は前記スライドベースを載置するための載置台と、前記光スライドベースに対するアクチュエータの角度を調整するときに前記付勢部を押圧する押圧部とを有し、前記押圧部は片持ち梁状に形成されるアーム部と、前記アーム部の先端に形成され前記付勢部の貫通孔と係合する位置決め部材と、前記アーム部の先端に、前記位置決め部材を囲むように配置されるコイルばねとを備えたことを特徴とする。
【００２０】
この構成によると、従来に対して弾性押圧用のばね及びねじを取り除くことができる光ヘッドを提供することができるので、光ヘッドの構成部材のコストを低減することができる。
【００２１】
また、この構成によると、組み立てに必要な工程を省略することで、光ヘッドの組み立てに必要な手間及び時間を低減することができ、それだけ、光ヘッドの組み立てコストを省略することができるとともに、光ヘッドの製造効率を挙げることができる。
【００２２】
本発明の光ヘッド調整装置を用いることで、光ヘッドの構成部材及び組み立てのコストを低減することができるとともに、光ヘッドのデータの記録及び読出し精度の高い光ヘッドを提供することができる。
【００２３】
上記目的を達成するために本発明は、一つの球面を形成する３個の球座を備えるスライドベースと、前記スライドベースに取り付けられ、矩形状の底部と、前記底部の下面より突出し、前記球座と当接する先端が球形状の３個の凸部と、前記底部と一体で形成され、該底部の所定の角部より該底部と同一平面上になるように突出し、先端部に貫通孔を有する付勢部と、前記付勢部と前記凸部を挟んで対角の角部の近傍に配置される雌ねじ孔を備える複数の角度調整部とが形成されるアクチュエータベースと、前記雌ねじ孔と螺合し前記アクチュエータベ−スの角度を調整する調整用ねじとを具備するアクチュエータとを有する光ヘッドのアクチュエータの角度を調整するための光ヘッド調整装置であって、前記光ヘッド調整装置は前記スライドベースを載置するための載置台と、前記光スライドベースに対するアクチュエータの角度を調整するときに前記付勢部を押圧する押圧部とを有し、前記押圧部はアーム部と、前記アーム部に備えられ、前記付勢部を正確に位置決めする位置決め部材と、前記アーム部に備えられ、前記付勢部材を弾性押圧する弾性部材とを有することを特徴とする。
【００２４】
この構成によると、従来に対して弾性押圧用のばね及びねじを取り除くことができる光ヘッドを提供することができるので、光ヘッドの構成部材のコストを低減することができる。
【００２５】
また、この構成によると、組み立てに必要な工程を省略することで、光ヘッドの組み立てに必要な手間及び時間を低減することができ、それだけ、光ヘッドの組み立てコストを省略することができるとともに、光ヘッドの製造効率を挙げることができる。
【００２６】
本発明の光ヘッド調整装置を用いることで、光ヘッドの構成部材及び組み立てのコストを低減することができるとともに、光ヘッドのデータの記録及び読出し精度の高い光ヘッドを提供することができる。
【００２７】
上記構成において、前記アーム部が弾性変形可能に形成されており、前記アーム部と前記弾性部材とが一体で形成されていてもよく、前記位置決め部材が弾性変形可能に形成されており、前記位置決め部材と前記弾性部材が一体で形成されていてもよい。また、前記アーム部、前記位置決め部材ともに弾性変形可能に形成されていてもよい。
【００２８】
上記目的を達成するために本発明は、一つの球面を形成する３個の球座を備えるスライドベースと、前記スライドベースに取り付けられ、底部の下面より突出し、前記球座と当接する先端が球形状の３個の凸部と、前記底部と一体で形成され、該底部の所定の角部より該底部と同一平面上になるように突出し、先端部に貫通孔を有する付勢部と、前記付勢部と前記凸部を挟んで対角の角部の近傍に配置される雌ねじ孔を備える複数の角度調整部とが形成されるアクチュエータベースと、前記雌ねじ孔と螺合し前記アクチュエータベ−スの角度を調整する調整用ねじとを具備するアクチュエータとを有する光ヘッドを、前記スライドベースを載置するための載置台と、アーム部と、前記アーム部に備えられ、前記付勢部を正確に位置決めする位置決め部材と、前記アーム部に備えられ、前記付勢部材を弾性押圧する弾性部材とを有する押圧部とを有する光ヘッド調整装置を用いる光ヘッドの調整方法であり、前記スライドベースを前記載置台に載置するスライドベース載置工程と、前記アクチュエータを前記スライドベース上に配置するスライドベース配置工程と、前記スライドベースの底面より前記調整ねじを貫通し、前記アクチュエータの雌ねじ孔と螺合して該アクチュエータを該スライドベースに取り付ける仮留め工程と、前記押圧部の前記アーム部を動かし、前記位置決め部材を前記付勢部の貫通孔に係合させる係合工程と、前記押圧部を前記載置台に近づく方向に移動し、前記付勢部を押圧する押圧工程と、前記調整ねじを回動させ、前記アクチュエータの前記スライドベースに対する傾きを調整する光ヘッド調整工程と、前記光ヘッドよりレーザ光を照射し、所定の照射角度で光ディスクに照射されるか検査する検査工程と、前記検査工程で合格した光ヘッドのスライドベースとアクチュエータを接着する接着工程と、前記接着工程にてスライドベースとアクチュエータを接着した後、前記押圧部を前記付勢部より離脱させ、前記光ヘッドを前記光ヘッド調整装置より搬出する搬出工程とを有することを特徴とする。
【００２９】
この構成によると、組み立てに必要な工程を省略することで、光ヘッドの組み立てに必要な手間及び時間を低減することができ、それだけ、光ヘッドの組み立てコストを省略することができるとともに、光ヘッドの製造効率を挙げることができる。
【００３０】
本発明の光ヘッドの調整方法を用いることで、光ヘッドの構成部材及び組み立てのコストを低減することができるとともに、光ヘッドのデータの記録及び読出し精度の高い光ヘッドを提供することができる。
【００３１】
上記目的を達成するために本発明は、一つの球面を形成する３個の球座を備えるスライドベースと、前記スライドベースに取り付けられ、底部の下面より突出し、前記球座と当接する先端が球形状の３個の凸部と、前記底部と一体で形成され、該底部の所定の角部より該底部と同一平面上になるように突出し、先端部に貫通孔を有する付勢部と、前記付勢部と前記凸部を挟んで対角の角部の近傍に配置される雌ねじ孔を備える複数の角度調整部とが形成されるアクチュエータベースと、前記雌ねじ孔と螺合し前記アクチュエータベ−スの角度を調整する調整用ねじとを具備するアクチュエータとを有する光ヘッドを、前記スライドベースを載置するための載置台と、アーム部と、前記アーム部に備えられ、前記付勢部を正確に位置決めする位置決め部材と、前記アーム部に備えられ、前記付勢部材を弾性押圧する弾性部材とを有する押圧部とを有する光ヘッド調整装置を用いる光ヘッドの調整方法であり、前記スライドベースを前記載置台に載置するスライドベース載置工程と、前記押圧部の前記アーム部を動かし、前記位置決め部材を前記付勢部の貫通孔に係合させる係合工程と、前記押圧部を前記載置台に近づく方向に移動し、前記付勢部を押圧する押圧工程と、前記調整ねじを回動させ、前記アクチュエータの前記スライドベースに対する傾きを調整する光ヘッド調整工程と、前記光ヘッドよりレーザ光を照射し、所定の照射角度で光ディスクに照射されるか検査する検査工程と、前記検査工程で合格した光ヘッドのスライドベースとアクチュエータを接着する接着工程と、前記接着工程にてスライドベースとアクチュエータを接着した後、前記押圧部を前記付勢部より離脱させ、前記光ヘッドを前記光ヘッド調整装置より搬出する搬出工程とを有することを特徴とする。
【００３２】
この構成によると、組み立てに必要な工程を省略することで、光ヘッドの組み立てに必要な手間及び時間を低減することができ、それだけ、光ヘッドの組み立てコストを省略することができるとともに、光ヘッドの製造効率を上げることができる。
【００３３】
本発明の光ヘッドの調整方法を用いることで、光ヘッドの構成部材及び組み立てのコストを低減することができるとともに、光ヘッドのデータの記録及び読出し精度の高い光ヘッドを提供することができる。
【００３４】
上記構成において、前記スライドベース載置工程は予め前記アクチュエータが仮留めされた前記スライドベースを前記載置台に載置するものであってもよい。
【発明の効果】
【００３５】
本発明によると、光ヘッドの調整後に不要となる部材を用いることなく、アクチュエータのスライドベースに対する角度を調整することで、構成部材を減らしても、光ディスクへのレーザ光の照射角度を正確に調整することができる光ヘッド調整装置及びこの光ヘッド調整装置を用いた光ヘッドの調整方法を提供する。
【００３６】
また本発明は、複雑又は煩雑な作業を行うことなく、アクチュエータのスライドベースに対する角度を調整することで、光ディスクへのレーザ光の照射角度を正確に調整することができる光ヘッド調整装置及びこの光ヘッド調整装置を用いた光ヘッドの調整方法を提供することを目的とする。
【００３７】
以上により、本発明によると、光ヘッドの構成部材を減らすことができるとともに、手間及び時間を削減することができるので光ヘッドの構成部材、製造コストを低減することが可能である。
【発明を実施するための最良の形態】
【００３８】
以下に本発明の実施形態を図面を参照して説明する。図１に光ヘッドの一例の配置図を示す。即ち、レーザ光源Ｌｄと、ミラーＭｒと、コリメータレンズＬｃと、対物レンズＬｂと、ビームスプリッタＢｓと、受光素子Ｐｄとを有している。レーザ光源Ｌｄより照射されたレーザ光は一部がビームスプリッタＢｓを透過し、ミラーＭｒで反射され、コリメータレンズＬｃに入射し、平行光に変化してコリメータレンズＬｃより出射する。コリメータレンズＬｃより出射したレーザ光は対物レンズＬｂに入射し対物レンズＬｂより光ディスクＤｓに照射される。
【００３９】
このときレーザ光は光ディスクＤｓの記録目面に焦点をあわせて、且つ、光軸と光ディスクＤｓの記録面とが垂直になるようにレーザ光を照射する。ビームスプリッタＢｓは入射されたレーザ光の半分を透過し半分を反射するプリズムであり、光ディスクＤｓで反射した光を受光素子Ｐｄに導くものである。受光素子Ｐｄは光を電流に変換するものであり、光の強さによってデータを読み取るものである。
【００４０】
図２は本発明にかかる光ヘッド調整装置で調整した光ヘッドの平面図であり、図３は図２に示す光ヘッドの側面図であり、図４は図２に示す光ヘッドの側断面図である。光ヘッドＡはレーザ光源Ｌｄ、ビームスプリッタＢｓ、ミラーＭｒ、コリメータレンズＬｃ、受光素子Ｐｄとを保持するスライドベース１と、対物レンズＬｂを保持するためのアクチュエータ２とを備えている。
【００４１】
スライドベース１の近傍には光ヘッドＡの動作方向をディスクトラック方向（ディスク半径方向）に規制するための軸Ａｘが配置されている。スライドベース１は軸Ａｘと摺動可能に係合する摺動孔１１と、摺動孔１１に隣接して形成されるラックギヤ１２と、同一球面を形成する３個の球座１３とを備えている。また、スライドベース１の側方にはラックギヤ１２と歯合するピニオンギヤＰｇが備えられており、ピニオンギヤＰｇの回転がラックギヤ１２に伝達することで、スライドベース１は軸Ａｘに沿って摺動する。
【００４２】
スライドベース１にはアクチュエータ２を配置したとき、後述の角度調整部２２７と重なる位置にスライドベース１の背面より調整ねじ２３を貫通させるための貫通孔１４が形成されている。
【００４３】
アクチュエータ２は、対物レンズＬｂと、対物レンズＬｂを保持するためのレンズホルダ２１と、内部にレンズホルダ２１を配置するアクチュエータベース２２（以降、アクトベース２２と示す）と、アクチュエータ２の角度を調整するとともに固定するための調整ねじ２３とを有している。
【００４４】
アクトベース２２は平面視矩形状を有する底部２２１と、底部２２１の周囲から底部２２１に対して垂直に立ち上がる立ち上がり部２２２と、底部２２１の略中央部に立ち上がり部２２２と同じ方向に突出する円柱状のシャフト２２３と、立ち上がり部２２２のシャフト２２３を挟んで対向して配置される２個の永久磁石２２４と、底部２２１の裏面に３個配置され、球座１３と接触し、先端が球形状に形成される凸部２２５と、底部２２１より同一平面内で突出し、角度を調整する装置にて押される付勢部２２６と、立ち上がり部２２２に形成され、角度を調整するための角度調整部２２７とを有している。
【００４５】
シャフト２２３は導電性を有するとともに、磁性体で形成されており、永久磁石２２４とシャフト２２３の間には磁界が形成されている。永久磁石２２４の磁界はそれには限定されないが、いずれの磁界も磁力線の向きが永久磁石２２４からシャフト２２３に向かっている。底部２２１にはレーザ光が通過するための貫通した光通過孔２２０が形成されている（図４参照）。
【００４６】
レンズホルダ２１は、対物レンズＬｂを保持するためのレンズ保持部２１１と、レンズ保持部２１１の略中心部にシャフト２２３と摺動可能且つ回動可能に外嵌する軸孔２１２と、レンズホルダ２１の側面に軸孔２１２を挟んで対面して配置されるトラッキングコイル２１３と、軸孔２１２を取り囲むように配置されるフォーカシングコイル２１４と、フォーカシングコイル２１４の下面に軸孔２１２の中心軸と直行するように配置される磁性板２１５とを有している。
【００４７】
軸孔２１２はシャフト２２３を外嵌するように配置される。このとき、アクトベース２２の永久磁石２２４とシャフト２２３の間には磁界が発生しており、その磁界に磁性板２１５が配置されることで磁性板２１５に付与する磁気力によって、レンズホルダ２１は底部２２１と接触することなく底部２２１より浮上した状態で支持される。
【００４８】
付勢部２２６は底部２２１と一体的に底部２２１の角部より延びて形成されている。付勢部２２６には下面より上面に貫通する貫通孔２２６１が形成されている。角度調整部２２７は立ち上がり部２２２の底部と接続するのとは反対側の端部に形成されている。角度調整部２２７は立ち上がり部２２２と略直角に形成されるものであり、平面視で底部２２２に対して外側に伸びて配置されている。
【００４９】
角度調整部２２７はそれには限定されないが、ここでは、２箇所に形成されている。角度調整部２２７はそれぞれ、異なる立ち上がり部２２２と連結して形成されており、ともに、付勢部２２６と凸部２２５を挟むように形成されるものである。角度調整部２２７には、雌ねじ孔２２７１が形成されている。雌ねじ孔２２７１はスライドベース１の下部より貫通孔１４を貫通した調整ねじ２３と螺合することができるように形成されている。
【００５０】
図５は本発明にかかる光ヘッドを組み立てるための光ヘッド調整装置の要部の平面図であり、図６は図５に示す光ヘッド調整装置の側面図であり、図７は光ヘッド調整装置の一例の要部の拡大図であり、図８は本発明にかかる光ヘッド調整装置を用いた光ヘッドの調整手順のフローチャートである。図５、図６に示すように、光ヘッド調整装置Ｃｍは、光ヘッドＡのスライドベース１を載置するための載置台３と、アクチュエータ２の付勢部２２６を押える押圧部４とを有している。
【００５１】
図５、図７に示すように、押圧部４は片持ち梁状のアーム部４１と、アーム部４１の先端より、アーム部４１に対して直交するように突出する軸部材４２と、軸部材４２の周囲を囲むように配置されるコイルばね４３とを有している。軸部材４２はアクチュエータ２の角度調整を行うときに、付勢部２２６の貫通孔２２６１に係合するものであり、貫通孔２２６１の内径よりもわずかに小さな内径を有している。軸部材４２は先端が細いテーパ状に形成されており、位置決め用の部材としても用いられる。
【００５２】
載置台３にスライドベース１を配置した状態で、スライドベース１は水平になる。載置台３はそれには限定されないが、ここでは、スライドベース１の軸Ａｘと係合する摺動孔１１を備える部分を支持するように形成されている。
【００５３】
以下に、本発明にかかる光ヘッド調整装置を用いて光ヘッドＡのアクチュエータ２の角度調整を行う手順を図８を参照して説明する。まず、スライドベース１を光ヘッド調整装置Ｃｍの載置台３に載置する（ステップＳ１）。光ヘッドＡのスライドベース１にアクチュエータ２を配置する（ステップＳ２）。スライドベース１の貫通孔１４に下面より調整ねじ２３を通し、アクチュエータ２の角度調整部２２７の雌ねじ孔２２７１と螺合させ、アクチュエータ２をスライドベース１に仮留めする（ステップＳ３）。
【００５４】
光ヘッド調整装置Ｃｍのアーム部４１を動かし、アーム部４１に形成された軸部材４２をアクチュエータ２の付勢部２２６の貫通孔２２６１と係合させる（ステップＳ４）。軸部材４２は先端が細く、アーム部４１に近づくにつれて太くなっており、付勢部２２６及び貫通孔２２６１がわずかにずれていても、軸部材４２は貫通孔２２６１を係合することができる。
【００５５】
ステップＳ４で軸部材４２を貫通孔２２６１に係合した後、さらにアーム部４１を光ヘッドＡに近づける（ステップＳ５）。これにより、軸部材４２は貫通孔２２６１にさらに深く挿入される。軸部材４２が貫通孔２２６１に深く挿入されることで、軸部材４２の外径と、貫通孔２２６１の内径の差が少なくなり、アクチュエータ２の位置決めを行うことが可能である。また、アーム部４１が光ヘッドＡに近づくことで、付勢部２２６はアーム部４１に取り付けられているコイルばね４３にて弾性押圧される。
【００５６】
アクチュエータ２は球座１３の上に凸部２２５が接触するように配置されているので、凸部２２５が球座１３に沿って摺動する、すなわち、アクチュエータ２には球座１３を中心に揺動ように力が付勢される。角度調整部２２７に調整ねじ２３が螺合しており、付勢部２２６が下向きに弾性押圧されると、角度調整部２２７には上向きの力が付勢される。
【００５７】
調整ねじ２３を回動させて、角度調整部２２７の位置を調整し、アクチュエータ２の角度を調整する（ステップＳ６）。光ヘッドＡよりレーザ光を出射し、調整用ディスクに照射する（ステップＳ７）。光ディスクの記録面へ照射するレーザ光の照射角度を測定し、その角度がデータの記録及び（又は）読出しを精度良く行うための角度の範囲内に入っているかどうか判定する（ステップＳ８）。
【００５８】
レーザ光の照射角度が許容範囲内に入っていない（ステップＳ８でＮＯ）場合、ステップＳ６に戻り、アクチュエータ２の角度を調整する。レーザ光の照射角度が許容範囲内に入っている（ステップＳ８でＹＥＳ）場合、スライドベース１にアクトベース２２を接着固定する（ステップＳ９）。その後、アーム部４１を取り外して、光ヘッドＡを搬出し（ステップＳ１０）調整を終了する。
【００５９】
上記構成の光ヘッド調整装置Ｃｍでは、付勢部２２６を弾性押圧する部材として、コイルばね４３を採用しているが、それに限定されるものではなく、付勢部２２６を確実に弾性押圧することができるものを広く採用することができる。
【００６０】
図９は本発明にかかる光ヘッド調整装置の他の例の要部の拡大図である。図９に示す光ヘッド調整装置Ｃｎの押圧部５は、アーム部５１と、アーム部５１の先端に先端より垂直に突出する軸部材５２とを備えている。光ヘッド調整装置Ｃｎではコイルばねを省略されている。
【００６１】
光ヘッド調整装置Ｃｎのアーム部５１は弾性部材で形成されている。アーム部５１はたわむことで付勢部２２６に弾性力を付勢することができるものである。軸部材５２は二段に形成されるものであり、先端側５２１が細く、アーム部５１に近い根元側５２２が太く形成されている。さらに詳しく説明すると、軸部材５２の先端側５２１はアクチュエータ２の付勢部２２６の貫通孔２２６１の内径よりも小さな外径を有し、根元側５２２は貫通孔２２６１の内径よりも大きな外径を有している。
【００６２】
軸部材５２の先端側５２１と根元側５２２との間には段差５２３が形成されており、軸部材５２を先端側５２１が付勢部２２６の貫通孔２２６１に係合するようにアーム部５１を移動し、さらに移動を続けることで、段差５２３が付勢部２２６と係合する。このとき、アーム部５１をたわませることで、付勢部２２６を弾性押圧することができる。光ヘッドＡの調整方法に関しては、上述しているのと同じである。
【００６３】
この構成の光ヘッド調整装置Ｃｎにおいて、軸部材５２として段差５２３を有する形状のものを例に説明しているが、それに限定されるものではなく、段差を備えず、軸部材５２の途中より継ぎ目なく先端に向かってテーパー形状に形成されているものであってもよい。このとき、テーパー部はアーム部５１に近い部分は貫通孔２２６１の内径よりも大きな外径を有しているものが好ましい。このように貫通孔２２６１の内径よりも大きな外径を有するように形成することで、テーパー部が貫通孔２２６１と嵌合してテーパー部で貫通孔２２６１ひいては付勢部２２６を弾性押圧することができる。
【００６４】
さらに、アーム部をたわみにくいもので形成しておき、軸部材が軸に沿う方向に弾性変形するものであっても良い。このような軸部材を配置することで、アーム部が変形しにくいので、軸部材を貫通孔２２６１に係合させやすい。
【００６５】
上述したような光ヘッド調整装置を用いることで、ばね部材を用いなくても良く、装置自体の構成を簡略化することができ、それだけ、光ヘッド調整装置のコストを低減することができる。
【００６６】
上記実施例において、光ヘッドとして軸周り回動するトラッキング動作と、軸に沿って摺動するフォーカシング動作を行うものの調整装置及び調整方法を例に説明しているが、それに限定されるものではなく、光ディスクにレーザ光を正確な角度で照射することができ、アクトベースをスライドベースの球座部で支持するものの調整を行う良性装置及び調整方法を広く採用することができる。
【産業上の利用可能性】
【００６７】
本発明の光ヘッド調整装置及び調整方法は、ＤＶＤ、ＣＤ、ＬＤ等の光ディスクにレーザ光を照射して情報を読み出したり、書込み可能な光ディスクに情報を記録したりする光ディスク装置に用いる光ヘッドの調整に適用することができる。
【図面の簡単な説明】
【００６８】
【図１】光ヘッドの一例の配置図である。
【図２】本発明にかかる光ヘッド調整装置で調整した光ヘッドの平面図である。
【図３】図２に示す光ヘッドの側面図である。
【図４】図２に示す光ヘッドの側断面図である。
【図５】本発明にかかる光ヘッドを組み立てるための光ヘッド調整装置の要部の平面図である。
【図６】図５に示す光ヘッド調整装置の側面図である。
【図７】光ヘッド調整装置の一例の要部の拡大図である。
【図８】本発明にかかる光ヘッド調整装置をもちいた光ヘッドの調整手順のフローチャートである。
【図９】本発明にかかる光ヘッド調整装置の他の例の要部の拡大図である。
【図１０】従来の光ヘッドの平面図である。
【図１１】図１０に示すアクチュエータの断面図である。
【符号の説明】
【００６９】
Ａ  光ヘッド
Ｌｄ  レーザ光源
Ｂｓ  ビームスプリッタ
Ｍｒ  ミラー
Ｌｃ  コリメータレンズ
Ｌｂ  対物レンズ
Ｐｄ  受光素子
Ｐｇ  ピニオンギヤ
１  ベース
１１  摺動孔
１２  ラックギヤ
１３  球座
２  アクチュエータ
２１  レンズホルダ
２２  アクチュエータベース（アクトベース）
２２１  底部
２２２  立ち上がり部
２２３  シャフト
２２４  永久磁石
２２５  凸部
２２６  付勢部
２２７  角度調整部
２３  調整ねじ
Ｃｍ  光ヘッド調整装置
３  載置台
４  押圧部
４１  アーム部
４２  軸部材
４３  コイルばね
【図１】
2007141359.tif 000003
【図２】
2007141359.tif 000004
【図３】
2007141359.tif 000005
【図４】
2007141359.tif 000006
【図５】
2007141359.tif 000007
【図６】
2007141359.tif 000008
【図７】
2007141359.tif 000009
【図８】
2007141359.tif 000010
【図９】
2007141359.tif 000011
【図１０】
2007141359.tif 000012
【図１１】
2007141359.tif 000013